(57)【特許請求の範囲】
【請求項１】
第１の電極と、
前記第１の電極と対向する第２の電極と、
前記第１の電極と前記第２の電極との間に回転可能に設けられた連結棒と、
前記第１の電極と接触し、前記連結棒が回転した時に前記第１の電極の所定の部分の汚れを除去するよう前記連結棒の一端に設けられた第１の汚れ除去部材と、
前記第２の電極と接触し、前記連結棒が回転した時に前記第２の電極の所定の部分の汚れを除去するよう前記連結棒の他端に設けられた第２の汚れ除去部材と、
前記第１および第２の電極と、前記連結棒とが収容された電極収容容器と、
前記電極収容容器が液体に落下した時の衝撃により前記連結棒を回転させるために前記連結棒に設けられた錘と
を備えたことを特徴とする電極汚れ除去構造。
【請求項２】
前記第１の電極を前記第１の汚れ除去部材に押し付けるために前記第１の電極を押す第１の弾性部材と、
前記第２の電極を前記第２の汚れ除去部材に押し付けるために前記第２の電極を押す第２の弾性部材と
を備えたことを特徴とする請求項１記載の電極汚れ除去構造。
【請求項３】
前記第１および第２の汚れ除去部材の前記第１および第２の電極と接触する部分は、布またはやすりまたはブラシである
ことを特徴とする請求項１または２記載の電極汚れ除去構造。
【請求項４】
前記電極収容容器内に前記液体が流入するよう前記電極収容容器に設けられた少なくとも１以上の液体流入口
を備えたことを特徴とする請求項１乃至３のいずれかに記載の電極汚れ除去構造。
【発明の詳細な説明】
【技術分野】
【０００１】
本発明は、  電極汚れ除去構造に関する。
【背景技術】
【０００２】
海水等の液体の抵抗値等の特性値を検出するための一対の電極が、当該液体に浸漬された場合、当該電極の表面に汚れ等が付着していると正確な特性値が検出できないため、そのような汚れ等を除去する技術が知られている。
【０００３】
例えば、特許文献１には、海水中に浸された電位差測定装置の電極１１Ａおよび１１Ｂを用いて海水中の電位差を測定する前に、電源部１３から所定の大きさおよび向きの電流を両電極間に流すことにより電極１１Ａおよび１１Ｂの表面の汚れを除去する技術が開示されている。
【０００４】
なお、関連技術として、特許文献２には、海水に浸された塩分濃度センサの一対の電極５Ａおよび５Ｂ間に生じるその海水の塩分濃度に応じた抵抗値Ｒ‘の抵抗と、抵抗値Ｒ“の抵抗２とによる直列抵抗を用いて発振回路１０を発振させ、その発振によって電極５Ａおよび５Ｂ間に生じる交番電流により各電極の表面に海水中の懸濁物が付着するのを防止する技術が開示されている。
【先行技術文献】
【特許文献】
【０００５】
【特許文献１】特開２０００−２５８３８３号公報
【特許文献２】特開昭６０−１６４２５６号公報
【発明の概要】
【発明が解決しようとする課題】
【０００６】
しかしながら、特許文献１記載の技術では、電極の表面の汚れの除去のために電気的な回路が必要であるとともに、十分な汚れの除去が行えない可能性があるという問題点がある。
【０００７】
なお、特許文献２には、海水の塩分濃度の測定等の何らかの測定を行う前に電極の汚れを除去する技術は、記載されていない。
【０００８】
本発明の目的は、上述した問題点を解決した電極汚れ除去構造を提供することにある。
【課題を解決するための手段】
【０００９】
本発明の電極汚れ除去構造は、
第１の電極と、
前記第１の電極と対向する第２の電極と、
前記第１の電極と前記第２の電極との間に回転可能に設けられた連結棒と、
前記第１の電極と接触し、前記連結棒が回転した時に前記第１の電極の所定の部分の汚れを除去するよう前記連結棒の一端に設けられた第１の汚れ除去部材と、
前記第２の電極と接触し、前記連結棒が回転した時に前記第２の電極の所定の部分の汚れを除去するよう前記連結棒の他端に設けられた第２の汚れ除去部材と、
前記第１および第２の電極と、前記連結棒とが収容された電極収容容器と、
前記電極収容容器が液体に落下した時の衝撃により前記連結棒を回転させるために前記連結棒に設けられた錘と
を備える。
【発明の効果】
【００１０】
本発明には、電気回路を用いずに、電極の表面の汚れを十分に除去できるという効果がある。
【図面の簡単な説明】
【００１１】
【図１】本発明の実施形態を示す外観図である。
【図２】本実施形態における電極収容容器のＡ−Ｂ線断面図である。
【図３】本実施形態における連結棒、錘および汚れ除去部材を示す斜視図である。
【発明を実施するための形態】
【００１２】
次に、本発明の実施形態について図面を参照して詳細に説明する。
【００１３】
図１は、本実施形態を示す外観図である。
【００１４】
図１を参照すると、本実施形態は、電極収容容器３０と、電極収容容器３０の一端に設けられ、貫通穴を有する第１の電極支持部４３と、電極収容容器３０の他端に設けられ、貫通穴を有する第２の電極支持部４４と、第１の電極３２と、第２の電極３７と、液体を電極収容容器３０内に流入させるための複数の液体流入口５０とを含む。
【００１５】
第１の電極支持部４３の貫通穴の断面形状は四角形である。
【００１６】
第１の電極３２は、後述するように、棒状部と板状部とからなり、該棒状部の断面形状は、第１の電極支持部４３の貫通穴よりわずかに小さい四角形であり、該棒状部は、第１の電極支持部４３の貫通穴を貫通している。
【００１７】
同様に、第２の電極支持部４４の貫通穴の断面形状は四角形である。
【００１８】
第２の電極３７は、後述するように、棒状部と板状部とからなり、該棒状部の断面形状は、第２の電極支持部４４の貫通穴よりわずかに小さい四角形であり、該棒状部は、第１の電極支持部４４の貫通穴を貫通している。
【００１９】
図２は、図１に示す電極収容容器３０のＡ−Ｂ線断面図である。
【００２０】
図２を参照すると、電極収容容器３０内には、それぞれ板状部および該板状部から延びる棒状部からなる第１の電極３２および第２の電極３７と、連結棒３３と、第１の汚れ除去部材３４および第２の汚れ除去部材３９と、錘３５と、弾性部材３８と、第１の連結棒支持部４０および第２の連結棒支持部４６と、第１の支持体４１および第２の支持体４５と、第１の電極支持部４３および第２の電極支持部４４とが設けられている。
【００２１】
上述したように、電極３２および３７の棒状部はそれぞれ第１および第２の電極支持部４３および４４の貫通穴を貫通し、電極３２の板状部と電極３７の板状部とは対向している。
【００２２】
第１および第２の支持体４１および４５は、容器３０に固定され、第１および第２の支持体４１および４５の所定の位置に、それぞれ第１および第２の連結棒支持部４０および４６が設けられている。
【００２３】
第１および第２の連結棒支持部４０および４６は貫通穴を有し、連結棒３３が該貫通穴を貫通している。該貫通穴を貫通した連結棒３３は、連結棒３３の長さ方向の中心軸を回転軸として回転可能である。
【００２４】
弾性部材３８は、例えば、バネであり、電極収容容器３０内の壁面と、第１および第２の電極３２および３７の板状部との間に設けられ、第１および第２の電極３２および３７の板状部を第１および第２の汚れ除去部材３４および３９に押し付けている。
【００２５】
なお、弾性部材３８が無くても第１および第２の電極３２および３７の板状部に第１および第２の汚れ除去部材３４および３９がそれぞれ押し付けられるように、連結棒３３の長さを決めておけば、弾性部材３８は無くてもよい。その場合には、第１および第２の電極３２および３７の棒状部が電極支持部４３および４４の貫通穴内で移動しないよう、棒状部を貫通穴に固定する必要がある。
【００２６】
図３は、図２に示す、連結棒３３、連結棒３３の中央部に設けられた錘３５および汚れ除去部材３４および３９のみを示す斜視図である。
【００２７】
錘３５は、例えば、所定の重量を有する円柱であり、連結棒３３は、円柱の長さ方向の中心軸５５に平行な線に沿って円柱の両端から突出している。
【００２８】
汚れ除去部材３４および３９は、棒状の棒状部３６と、棒状部３６に設けられ、電極３２および３７の板状部の汚れを除去するための汚れ除去部３１とから構成される。汚れ除去部材３４、汚れ除去部材３４の棒状部３６の両端からほぼ等しい位置で、連結棒３３の一端に取り付けられ、汚れ除去部材３９、汚れ除去部材３９の棒状部３６の両端からほぼ等しい位置で、連結棒３３の他端に取り付けられている。
【００２９】
棒状部３６の素材は、例えば、強化プラスチック等の絶縁体であり、汚れ除去部３１の素材は、例えば、布や、やすりや、ブラシである。
【００３０】
第１および第２の汚れ除去部材３４および３９は、連結棒３３が連結棒３３の長さ方向の中心軸を回転軸として回転すると、連結棒３３に取り付けられた位置を回転中心として回転する。
【００３１】
次に、本実施形態の動作について説明する。
【００３２】
まず、電極収容容器３０がある程度の高さから液体に落下すると、容器３０全体は、液体の表面に衝突した時に、該液体から相当の衝撃を受ける。
【００３３】
この衝撃による衝撃力は、錘３５にも加わり、錘３５が連結棒３３を回転軸として何れかの方向に回転する回転力に変換される。
【００３４】
第１および第２の汚れ除去部材３４および３９は、こうして錘３５と一緒に連結棒３３が回転することにより、連結棒３３に取付けられた位置を回転中心として回転する。
【００３５】
第１および第２の電極３２および３７の板状部と第１および第２の汚れ除去部材３４および３９とは接触しているので、第１および第２の汚れ除去部材３４および３９の回転により、第１および第２の電極３２および３７の板状部の第１および第２の汚れ除去部材３４および３９との接触箇所の汚れは次々と除去されてゆき、結果として、第１および第２の電極３２および３７の板状部の所定の部分の汚れが第１および第２の汚れ除去部材３４および３９により除去される。
【００３６】
以上、本実施形態には、電気回路を用いずに、電極の表面の汚れを十分に除去できるという効果がある。
【００３７】
その理由は、液体に落下した際の衝撃力を利用して電極の汚れを機械的に除去できるようにしたからである。
【符号の説明】
【００３８】
３０    電極収容容器
３１    汚れ除去部
３２    第１の電極
３３    連結棒
３４    第１の汚れ除去部材
３５    錘
３６    棒状部
３７    第２の電極
３８    弾性部材
３９    第２の汚れ除去部材
４０    第１の連結棒支持部
４１    第１の支持体
４３    第１の電極支持部
４４    第２の電極支持部
４５    第２の支持体
４６    第２の連結棒支持部
５０    液体流入口
５５    円柱の長さ方向の中心軸
【図１】
0005932943.tif 000002
【図２】
0005932943.tif 000003
【図３】
0005932943.tif 000004